(57)【要約】【課題】ロスボードを別途必要せずに所望のロス値によるＩＳＩ信号を発生する。【解決手段】デジタル信号の伝送規格に基づく信号の振幅特性を入力データとし、該入力データの振幅特性の逆特性から伝達関数の逆特性を算出する逆特性算出手段２と、逆特性算出手段２にて伝達関数の逆特性を逆フーリエ変換してインパルス応答を算出する逆フーリエ変換手段３と、逆フーリエ変換手段３にて求めたインパルス応答のピークを基準として所望のタップ数分のポイントを切り出すインパルス応答切出手段４と、インパルス応答から切り出した値に基づいてパワースペクトラムを算出するパワースペクトラム算出手段５と、ロス値補正曲線１１を用いてパワースペクトラムのロス値を補正するロス値補正手段６とを備える。【選択図】図１
2019004421.tif 000002
【特許請求の範囲】
【請求項１】
デジタル信号の伝送規格に基づく信号の振幅特性を入力データとし、該入力データの振幅特性の逆特性から伝達関数の逆特性を算出する逆特性算出手段（２）と、
前記逆特性算出手段にて前記入力データの振幅特性の逆特性から算出された前記伝達関数の逆特性を逆フーリエ変換してインパルス応答を算出する逆フーリエ変換手段（３）と、
前記逆フーリエ変換手段にて求めたインパルス応答のピークを基準として所望のタップ数分のポイントを切り出すインパルス応答切出手段（４）と、
前記インパルス応答切出手段にて前記インパルス応答から切り出した値に基づいてパワースペクトラムを算出するパワースペクトラム算出手段（５）と、
前記入力データにおける設定ロス値と実際のロス値との差分値から得られるロス値補正曲線（１１）を用いて前記パワースペクトラム算出手段にて算出したパワースペクトラムのロス値を補正するロス値補正手段（６）とを備えたことを特徴とする信号発生装置。
【請求項２】
前記ロス値補正手段（６）にて補正されたパワースペクトラムの振幅特性と所定のエンファシス振幅特性とを合成した合成振幅特性を前記逆フーリエ変換手段（３）にフィードバックする振幅特性合成手段（７）を備え、
前記合成振幅特性を前記逆特性算出手段（２）にフィードバックして前記逆フーリエ変換によるインパルス応答の算出、前記インパルス応答のピークを基準とする所望のタップ数分のポイントの切り出し、前記インパルス応答から切り出した値に基づくパワースペクトラムの算出を実行することを特徴とする請求項１記載の信号発生装置。
【請求項３】
デジタル信号の伝送規格に基づく信号の振幅特性を入力データとし、該入力データの振幅特性の逆特性から伝達関数の逆特性を算出するステップと、
前記入力データの振幅特性の逆特性から算出された前記伝達関数の逆特性を逆フーリエ変換してインパルス応答を算出するステップと、
前記インパルス応答のピークを基準として所望のタップ数分のポイントを切り出すステップと、
前記インパルス応答から切り出した値に基づいてパワースペクトラムを算出するステップと、
前記入力データにおける設定ロス値と実際のロス値との差分値から得られるロス値補正曲線（１１）を用いて前記パワースペクトラムのロス値を補正するステップとを含むことを特徴とする信号発生方法。
【請求項４】
前記ロス値が補正されたパワースペクトラムの振幅特性と所定のエンファシス振幅特性とを合成した合成振幅特性をフィードバックし、前記逆フーリエ変換によるインパルス応答の算出、前記インパルス応答のピークを基準とする所望のタップ数分のポイントの切り出し、前記インパルス応答から切り出した値に基づくパワースペクトラムの算出を実行するステップを含むことを特徴とする請求項３記載の信号発生方法。
【発明の詳細な説明】
【技術分野】
【０００１】
本発明は、例えばＰＣＩｅ  Ｇｅｎ４．０、ＵＳＢ３．０／３．１、Ｔｈｕｎｄｅｒｂｏｌｔなどのデジタル信号の伝送規格に基づく所望のロス値（損失量）によるＩＳＩ（InterSymbol Interference：符号間干渉）を印加した信号や所望のロス値によるＩＳＩを印加した状態で所望のエンファシスを付加した信号を発生する信号発生装置および信号発生方法に関する。
【背景技術】
【０００２】
例えば、誤り率測定装置の被測定物であるＰＣＩｅ  Ｇｅｎ４．０、ＵＳＢ３．０／３．１、Ｔｈｕｎｄｅｒｂｏｌｔなどのデジタル信号の伝送規格に対応したデバイスにおいては、伝送規格毎のテストボード（Ｔｅｓｔ  Ｂｏａｒｄ）の特性を評価するため、テストボードへの入力に規定の伝送線路損失を模擬したテストフィクスチャであるＩＳＩ校正チャネル（Ｃａｌｉｂｒａｔｉｏｎ  Ｃｈａｎｎｅｌ）を導入する必要がある。
【０００３】
しかしながら、ＩＳＩ校正チャネルの損失量は伝送規格により様々である。このため、ユーザは伝送規格毎のテストボードとは別に伝送規格に合致したＩＳＩ校正チャネルのロスボードを用意する必要があった。しかも、このＩＳＩ校正チャネルのロスボードを用意するにあたっては、実際にロスボードのロス値を測定し、目標とするロス値が得られるか否かを評価しなければならないという面倒な作業を伴い、ユーザの負担となっていた。
【０００４】
ところで、伝送規格毎のテストボードの特性を評価するにあたっては、上述したＩＳＩ校正チャネルによる損失だけでなくエンファシスを付加して評価を行いたいという要望もある。
【０００５】
エンファシスを付加する技術としては、例えば下記特許文献１に開示されるエンファシス最適化装置が知られている。このエンファシス最適化装置によれば、タップ幅と各タップ毎の強度値（変調量）を設定するにあたって、エンファシスを最適値に近づけることができる。
【先行技術文献】
【特許文献】
【０００６】
【特許文献１】特開２０１３−２０１６６１号公報
【発明の概要】
【発明が解決しようとする課題】
【０００７】
しかしながら、上述した特許文献１のエンファシス最適化装置では、多タップエンファシスを使用してＩＳＩチャネルを構成している場合には、目的とする振幅特性を得ることができなかった。
【０００８】
そこで、本発明は上記問題点に鑑みてなされたものであって、デジタル信号の伝送規格に合致したロスボードを用意する必要がなく、所望のロス値によるＩＳＩを印加した信号や所望のロス値によるＩＳＩを印加した状態で所望のエンファシスを付加した信号を発生することができる信号発生装置および信号発生方法を提供することを目的としている。
【課題を解決するための手段】
【０００９】
上記目的を達成するため、本発明の請求項１に記載された信号発生装置は、デジタル信号の伝送規格に基づく信号の振幅特性を入力データとし、該入力データの振幅特性の逆特性から伝達関数の逆特性を算出する逆特性算出手段２と、
前記逆特性算出手段にて前記入力データの振幅特性の逆特性から算出された前記伝達関数の逆特性を逆フーリエ変換してインパルス応答を算出する逆フーリエ変換手段３と、
前記逆フーリエ変換手段にて求めたインパルス応答のピークを基準として所望のタップ数分のポイントを切り出すインパルス応答切出手段４と、
前記インパルス応答切出手段にて前記インパルス応答から切り出した値に基づいてパワースペクトラムを算出するパワースペクトラム算出手段５と、
前記入力データにおける設定ロス値と実際のロス値との差分値から得られるロス値補正曲線１１を用いて前記パワースペクトラム算出手段にて算出したパワースペクトラムのロス値を補正するロス値補正手段６とを備えたことを特徴とする。
【００１０】
請求項２に記載された信号発生装置は、請求項１の信号発生装置において、
前記ロス値補正手段６にて補正されたパワースペクトラムの振幅特性と所定のエンファシス振幅特性とを合成した合成振幅特性を前記逆フーリエ変換手段３にフィードバックする振幅特性合成手段７を備え、
前記合成振幅特性を前記逆特性算出手段２にフィードバックして前記逆フーリエ変換によるインパルス応答の算出、前記インパルス応答のピークを基準とする所望のタップ数分のポイントの切り出し、前記インパルス応答から切り出した値に基づくパワースペクトラムの算出を実行することを特徴とする。
【００１１】
請求項３に記載された信号発生方法は、デジタル信号の伝送規格に基づく信号の振幅特性を入力データとし、該入力データの振幅特性の逆特性から伝達関数の逆特性を算出するステップと、
前記入力データの振幅特性の逆特性から算出された前記伝達関数の逆特性を逆フーリエ変換してインパルス応答を算出するステップと、
前記インパルス応答のピークを基準として所望のタップ数分のポイントを切り出すステップと、
前記インパルス応答から切り出した値に基づいてパワースペクトラムを算出するステップと、
前記入力データにおける設定ロス値と実際のロス値との差分値から得られるロス値補正曲線１１を用いて前記パワースペクトラムのロス値を補正するステップとを含むことを特徴とする。
【００１２】
請求項４に記載された信号発生方法は、請求項３の信号発生方法において、
前記ロス値が補正されたパワースペクトラムの振幅特性と所定のエンファシス振幅特性とを合成した合成振幅特性をフィードバックし、前記逆フーリエ変換によるインパルス応答の算出、前記インパルス応答のピークを基準とする所望のタップ数分のポイントの切り出し、前記インパルス応答から切り出した値に基づくパワースペクトラムの算出を実行するステップを含むことを特徴とする。
【発明の効果】
【００１３】
本発明によれば、デジタル信号の伝送規格に基づく所望のロス値によるＩＳＩを印加した信号を得ることができる。その際、ユーザが伝送規格に合致したＩＳＩ校正チャネルのロスボードを用意する必要がないので、面倒な作業を伴うこともなくユーザへの負担を軽減することができる。
【００１４】
また、ＩＳＩ振幅特性とエンファシス振幅特性を振幅合成した合成振幅特性が得られるように合成振幅特性からタップ係数への逆演算を行い、全てのタップにおけるロス値を補償して所望のエンファシスを付加することができる。
【図面の簡単な説明】
【００１５】
【図１】本発明に係る信号発生装置の概略構成を示すブロック図である。
【図２】本発明に用いられるロス値補正曲線の一例を示す図である。
【図３】本発明に用いられるＦＩＲフィルタの構成例を示す図である。
【図４】（ａ）〜（ｄ）本発明においてＩＳＩ波形の信号を発生する際の処理手順の一部を示す概略説明図である。
【図５】図２のロス値補正曲線によるロス値の補正を行わない場合の振幅特性の一例を示す図である。
【図６】図２のロス値補正曲線によるロス値の補正を行った場合の振幅特性の一例を示す図である。
【図７】１５ｄＢのＩＳＩチャネルのタップ係数、エンファシス（１ｐｏｓｔ  １ｐｒｅ）のタップ係数、ＩＳＩチャネルのタップ係数とエンファシスのタップ係数とのタップ係数足し算、逆演算によるタップ係数の一例を示す図である。
【図８】ＩＳＩ振幅特性、エンファシス振幅特性、ＩＳＩ振幅特性とエンファシス振幅特性を振幅合成した合成振幅特性、ＩＳＩ振幅特性とエンファシス振幅特性のタップ係数を単純に足し算したときの振幅特性を示す図である。
【発明を実施するための形態】
【００１６】
以下、本発明を実施するための形態について、添付した図面を参照しながら詳細に説明する。
【００１７】
本発明に係る信号発生装置および信号発生方法は、デジタル信号の伝送規格に基づく所望のロス値（損失量）によるＩＳＩ（InterSymbol Interference：符号間干渉）を印加した信号（ＩＳＩ波形の信号）や所望のロス値によるＩＳＩを印加した状態で所望のエンファシスを付加した信号（ＩＳＩ波形＋エンファシス波形の信号）を発生するものである。なお、本発明が適用されるデジタル信号の伝送規格には、例えばＰＣＩｅ  Ｇｅｎ４．０、ＵＳＢ３．０／３．１、Ｔｈｕｎｄｅｒｂｏｌｔなどがある。
【００１８】
［信号発生装置の構成について］
図１に示すように、本実施の形態の信号発生装置１は、例えば被測定物の誤り率を測定する誤り率測定装置、アイパターンを観測するサンプリングオシロスコープなどの測定器に用いられ、逆特性算出手段２、逆フーリエ変換手段３、インパルス応答切出手段４、パワースペクトラム算出手段５、ロス値補正手段６、振幅特性合成手段７、信号発生手段８を備えて構成される。
【００１９】
なお、図１において、ＩＳＩ波形の信号を発生する処理経路がＲ１、ＩＳＩ波形＋エンファシス波形の信号を発生する処理経路がＲ２となっている。
【００２０】
逆特性算出手段２は、ＩＳＩ波形の信号を発生するときに、デジタル信号の伝送規格に基づく信号の振幅特性を入力データとし、この入力データの振幅特性の逆特性から伝達関数の逆特性を算出する。また、逆特性算出手段２は、ＩＳＩ波形＋エンファシス波形の信号を発生するときに、振幅特性合成手段７からフィードバックされる合成振幅特性の逆特性から伝達関数の逆特性を算出する。
【００２１】
逆フーリエ変換手段３は、ＩＳＩ波形の信号を発生するときに、処理経路Ｒ１の逆特性算出手段２にて入力データの振幅特性の逆特性から算出された伝達関数の逆特性を逆フーリエ変換してインパルス応答を算出する。また、逆フーリエ変換手段３は、ＩＳＩ波形＋エンファシス波形の信号を発生するときに、処理経路Ｒ２の逆特性算出手段２にて合成振幅特性の逆特性から算出される伝達関数の逆特性を逆フーリエ変換してインパルス応答を算出する。
【００２２】
インパルス応答切出手段４は、ＩＳＩ波形の信号を発生するときに、処理経路Ｒ１の逆フーリエ変換手段３にて求めたインパルス応答のピークを基準として所望のタップ数分（例えば１０タップ分：６ｐｏｓｔ  ３ｐｒｅ）のポイントを切り出す。また、インパルス応答切出手段４は、ＩＳＩ波形＋エンファシス波形の信号を発生するときに、処理経路Ｒ２の逆フーリエ変換手段３にて求めたインパルス応答のピークを基準として所望のタップ数分（例えば１０タップ分：６ｐｏｓｔ  ３ｐｒｅ）のポイントを切り出す。
【００２３】
上記インパルス応答を切り出した値は、テストボードへの入力波形を歪ませるＦＩＲ（Finite impulse response ：有限インパルス応答）フィルタのフィルタ係数となり、タップ係数を求めるのに使用される。タップ係数は、Ｍａｉｎのタップを基準として、そこからのゲイン／損失の割合を求める従来より周知の方法で算出して設定することができる。
【００２４】
パワースペクトラム算出手段５は、ＩＳＩ波形の信号を発生するときに、処理経路Ｒ１のインパルス応答切出手段４にてインパルス応答から切り出した値に基づいてパワースペクトラムを算出する。また、パワースペクトラム算出手段５は、ＩＳＩ波形＋エンファシス波形の信号を発生するときに、処理経路Ｒ２のインパルス応答切出手段４にてインパルス応答から切り出した値に基づいてパワースペクトラムを算出する。
【００２５】
ロス値補正手段６は、処理経路Ｒ１でＩＳＩ波形の信号を発生するときに、処理経路Ｒ１のパワースペクトラム算出手段５にて算出したパワースペクトラムのロス値を図２に示すロス値補正曲線１１を用いて補正する。
【００２６】
ロス値補正曲線１１は、入力データの振幅特性において設定したい目標のロス値（設定ロス値：図２の縦軸）と、設定ロス値に対する実際のロス値（補正ロス値：図２の横軸）との差分値（設定ロス値に対する誤差）から公知の処理手段やソフトウェアなどを用いて作成される近似曲線からなる。ロス値補正曲線１１は、周波数には依存せず、タップ数によって曲線が変化するため、予めタップ数ごとにテーブル化されたデータとして記憶しておいたり、所望とするタップ数に応じて都度計算によって算出する。図２はタップ数が１０タップの場合のロス値補正曲線１１を示している。
【００２７】
なお、ロス値補正曲線１１を作成するにあたっては、デジタル信号の伝送規格の許容誤差範囲（例えば±０．５ｄＢ）に収まるように、特に変化点近傍のポイントを多く求めて精度を高めるのが好ましい。
【００２８】
振幅特性合成手段７は、処理経路Ｒ１のロス値補正手段６にて補正されたパワースペクトラムの振幅特性と、所定のエンファシス振幅特性（例えば、１ｐｏｓｔ  １ｐｒｅ、２ｐｏｓｔ  １ｐｒｅなど）とを合成（振幅特性の足し算）し、合成した合成振幅特性を逆フーリエ変換手段３にフィードバックする。
【００２９】
信号発生手段８は、図３に示すＦＩＲフィルタ１２を含み、ＦＩＲフィルタ１２に設定されるタップ係数に基づいてテストボードへの入力波形を歪ませる所望の伝送規格に応じたＩＳＩ波形の信号やＩＳＩ波形＋エンファシス波形の信号を発生する。
【００３０】
ＦＩＲフィルタ１２は、例えば１０タップの場合、図３に示すように、Ｄ型フリップフロップなどの１０個の遅延回路１２ａ−１，１２ａ−２，１２ａ−３，１２ａ−４，１２ａ−５，１２ａ−６，１２ａ−７，１２ａ−８，１２ａ−９，１２ａ−１０と、１０個の乗算器１２ｂ−１，１２ｂ−２，１２ｂ−３，１２ｂ−４，１２ｂ−５，１２ｂ−６，１２ｂ−７，１２ｂ−８，１２ｂ−９，１２ｂ−１０と、９個の加算器１２ｃ−１，１２ｃ−２，１２ｃ−３，１２ｃ−４，１２ｃ−５，１２ｃ−６，１２ｃ−７，１２ｃ−８，１２ｃ−９とを備え、入力端子１３と出力端子１４との間に１０個の遅延回路１２ａ−１，１２ａ−２，１２ａ−３，１２ａ−４，１２ａ−５，１２ａ−６，１２ａ−７，１２ａ−８，１２ａ−９，１２ａ−１０を直列に接続して１０個のタップを形成する。各タップには設定されたタップ係数を乗算するための１０個の乗算器１２ｂ−１，１２ｂ−２，１２ｂ−３，１２ｂ−４，１２ｂ−５，１２ｂ−６，１２ｂ−７，１２ｂ−８，１２ｂ−９，１２ｂ−１０が接続される。また、１０個の乗算器１２ｂ−１，１２ｂ−２，１２ｂ−３，１２ｂ−４，１２ｂ−５，１２ｂ−６，１２ｂ−７，１２ｂ−８，１２ｂ−９，１２ｂ−１０の前後の段の出力は、９個の加算器１２ｃ−１，１２ｃ−２，１２ｃ−３，１２ｃ−４，１２ｃ−５，１２ｃ−６，１２ｃ−７，１２ｃ−８，１２ｃ−９の対応する段に接続される。そして、１０個の乗算器１２ｂ−１，１２ｂ−２，１２ｂ−３，１２ｂ−４，１２ｂ−５，１２ｂ−６，１２ｂ−７，１２ｂ−８，１２ｂ−９，１２ｂ−１０の乗算結果の総和を算出して出力する。
【００３１】
次に、上記のように構成される信号発生装置１を用い、処理経路Ｒ１にてＩＳＩ波形の信号を発生する方法について図４を参照しながら説明する。
【００３２】
ステップ１：逆特性算出手段２により、デジタル信号の伝送規格に基づく信号（入力データ）の振幅特性（図４（ａ）の破線：Ａ１）の逆特性（図４（ａ）の実線：Ａ２）から伝達関数の逆特性Ａ３（図４（ｂ））を算出する。
【００３３】
ステップ２：逆フーリエ変換手段３により、ステップ１にて入力データの振幅特性の逆特性から算出された伝達関数の逆特性を逆フーリエ変換してインパルス応答ｈ（図４（ｃ））を算出する。
【００３４】
ステップ３：インパルス応答切出手段４により、ステップ２にて算出されたインパルス応答のピークを基準として所望のタップ数分（例えば１０タップ分：６ｐｏｓｔ  ３ｐｒｅ）のポイント（図４（ｄ）の点線で囲まれるポイント）を切り出す。
【００３５】
ステップ４：パワースペクトラム算出手段５により、ステップ３にてインパルス応答から切り出した値に基づいてパワースペクトラムＡ４（図４（ｄ））を算出する。
【００３６】
ステップ５：ロス値補正手段６により、ステップ４にて算出したパワースペクトラムのロス値を図２に示すロス値補正曲線１１を用いて補正する。
【００３７】
ここで、１０タップ、１６ＧＨｚ（測定するビットレートの半分の周波数）で設定ロス値が２５ｄＢのＩＳＩ波形の信号を発生する場合において、ロス値補正手段６にてロス値補正曲線１１によるロス値の補正を行わない場合の結果を図５に示す。
【００３８】
図５に示すように、１６ＧＨｚにおけるロス値が約２３ｄＢであり、設定ロス値２５ｄＢに対して２ｄＢ足りないことが判る。これはパワースペクトラム算出手段５にてパワースペクトラムを求める際に、１０タップへの丸め誤差が発生するためである。この丸め誤差は、ハード的な制約により半導体が置けない、消費電力が大きくなるなど、タップ数を増やす対応がとれないことが原因である。
【００３９】
そこで、本実施の形態では、上述した丸め誤差を無くすため、図２における設定ロス値２５ｄＢを補正ロス値２７ｄＢとし、ロス値補正手段６にてロス値補正曲線１１を用いたロス値の補正を行う。これにより、図６に示すように、１６ＧＨｚにおいて期待通り２５ｄＢのロス値に設定することができる。
【００４０】
ステップ６：信号発生手段８により、算出したタップ係数をＦＩＲフィルタ１２に設定し、所望の伝送規格に応じたＩＳＩ波形の信号を発生する。
【００４１】
次に、上記のように構成される信号発生装置１を用い、全てのタップにおけるロス値を補償してエンファシスを付加し、処理経路Ｒ２にてＩＳＩ波形＋エンファシス波形の信号を発生する方法について説明する。
【００４２】
まず、本実施の形態において、全てのタップにおけるロス値を補償してエンファシスを付加することを考える。この場合、各タップ係数の求め方は上述したＩＳＩ波形の信号を発生するときと全く同じ手法である。但し、通常、各種伝送規格では１ｐｏｓｔ  １ｐｒｅや２ｐｏｓｔ  １ｐｒｅなどのエンファシス設定が主であり、全てのタップ（例えば１０タップ）を使用しての補償は考えづらい。
【００４３】
その際、タップ係数は、外部のＩＳＩチャネルを入力信号としてエンファシスをかけるのであれば特に問題となることはない。しかし、本実施の形態のように、多タップ（例えば１０タップ）エンファシスを使用してＩＳＩチャネルを構成している場合には、図７に示すＩＳＩチャネルにおけるタップ係数とエンファシス設定におけるタップ係数を単純に足せばよいというものではない。
【００４４】
すなわち、ＩＳＩ振幅特性（図８のＡ４）とエンファシス振幅特性（図８のＡ５）それぞれの振幅特性を単純に足し合わせた合成振幅特性（図８の点線：Ａ６）では、目標周波数（１６ＧＨｚ）においてロス値がほぼ０ｄＢになり、所望の振幅特性が得られることが判る。これに対し、図７のＩＳＩチャネルにおけるタップ係数とエンファシス設定におけるタップ係数とを単純に足し合わせた振幅特性（図８のＡ７）では、目標周波数（１６ＧＨｚ）においてゲインがかかった過補償の状態になってしまっている。つまり、単純なｄＢの足し算を行うだけでは正しく補償を行うことができないことが判る。
【００４５】
そこで、本実施の形態では、以下に説明するように、合成振幅特性からタップ係数への逆演算を行っている。すなわち、ＩＳＩ振幅特性とエンファシス振幅特性の合成振幅特性を逆特性算出手段２にフィードバックさせて再度図１の手順（処理経路Ｒ２）を用いてタップ係数を取得するという手法を採用している。ＩＳＩ波形＋エンファシス波形の信号を発生する。
【００４６】
これにより、図７から判るように、結果的に全てのタップ係数を操作することで１ｐｏｓｔ  １ｐｒｅの振幅特性を得ることができる。その結果、ＩＳＩをかけた状態でエンファシスを加える多タップエンファシスによるＩＳＩ校正チャネルを実現できる。以下、全てのタップにおけるロス値を補償してエンファシスを付加してＩＳＩ波形＋エンファシス波形の信号を発生する方法について説明する。
【００４７】
ステップ１１：逆特性算出手段２により、デジタル信号の伝送規格に基づく信号（入力データ）の振幅特性（図４（ａ）の破線：Ａ１）の逆特性（図４（ａ）の実線：Ａ２）から伝達関数の逆特性Ａ３（図４（ｂ））を算出する。
【００４８】
ステップ１２：逆フーリエ変換手段３により、ステップ１１にて入力データの振幅特性の逆特性から算出された伝達関数の逆特性を逆フーリエ変換してインパルス応答ｈ（図４（ｃ））を算出する。
【００４９】
ステップ１３：インパルス応答切出手段４により、ステップ１２にて算出されたインパルス応答のピークを基準として所望のタップ数分（例えば１０タップ分：６ｐｏｓｔ  ３ｐｒｅ）のポイント（図４（ｄ）の点線で囲まれるポイント）を切り出す。
【００５０】
ステップ１４：パワースペクトラム算出手段５により、ステップ１３にてインパルス応答から切り出した値に基づいてパワースペクトラムＡ４（図４（ｄ））を算出する。
【００５１】
ステップ１５：ロス値補正手段６により、ステップ１４にて算出したパワースペクトラムのロス値を図２に示すロス値補正曲線１１を用いて補正する。
【００５２】
ステップ１６：振幅特性合成手段７により、ロス値補正手段６にて補正されたパワースペクトラムの振幅特性（ＩＳＩ振幅特性）と、エンファシス振幅特性（例えば、１ｐｏｓｔ  １ｐｒｅ、２ｐｏｓｔ  １ｐｒｅなどのエンファシス振幅特性）とを合成し、合成した合成振幅特性を逆フーリエ変換手段３にフィードバックする。
【００５３】
ステップ１７：逆特性算出手段２により、振幅特性合成手段７からフィードバックされる合成振幅特性の逆特性から伝達関数の逆特性を算出する。
【００５４】
ステップ１８：逆フーリエ変換手段３により、合成振幅特性の逆特性から算出される伝達関数の逆特性を逆フーリエ変換してインパルス応答を算出する。
【００５５】
ステップ１９：インパルス応答切出手段４により、インパルス応答のピークから、所望のタップ数分（例えば１０タップ分：６ｐｏｓｔ  ３ｐｒｅ）のポイントを切り出す。
【００５６】
ステップ２０：パワースペクトラム算出手段５により、インパルス応答から切り出した値に基づいてパワースペクトラム（図８の点線で示す振幅特性）を算出する。
【００５７】
ステップ２１：信号発生手段８により、算出したタップ係数をＦＩＲフィルタ１２に設定し、所望の伝送規格に応じたＩＳＩ波形＋エンファシス波形の信号を発生する。
【００５８】
このように、本実施の形態の信号発生装置１では、パワースペクトラムを求める際、発生する丸め誤差が相殺されるようにロス値補正曲線を用いてロス値の補正を行う。これにより、デジタル信号の伝送規格に基づく所望のロス値によるＩＳＩを印加した信号を得ることができる。その際、ユーザが伝送規格毎のテストボードとは別に伝送規格に合致したＩＳＩ校正チャネルのロスボードを用意する必要もないので、面倒な作業を伴うこともなくユーザに係る負担を無くすことができる。
【００５９】
また、本実施の形態の信号発生装置１では、ＩＳＩ振幅特性とエンファシス振幅特性を振幅合成した合成振幅特性が得られるように合成振幅特性からタップ係数への逆演算を行う。これにより、全てのタップにおけるロス値を補償して所望のエンファシスを付加することができる。
【００６０】
以上、本発明に係る信号発生装置および信号発生方法の最良の形態について説明したが、この形態による記述及び図面により本発明が限定されることはない。すなわち、この形態に基づいて当業者等によりなされる他の形態、実施例及び運用技術などはすべて本発明の範疇に含まれることは勿論である。
【符号の説明】
【００６１】
１  信号発生装置
２  逆特性算出手段
３  逆フーリエ変換手段
４  インパルス応答切出手段
５  パワースペクトラム算出手段
６  ロス値補正手段
７  振幅特性合成手段
８  信号発生手段
１１  ロス値補正曲線
１２  ＦＩＲフィルタ
１２ａ−１，１２ａ−２，１２ａ−３，１２ａ−４，１２ａ−５，１２ａ−６，１２ａ−７，１２ａ−８，１２ａ−９，１２ａ−１０  遅延回路
１２ｂ−１，１２ｂ−２，１２ｂ−３，１２ｂ−４，１２ｂ−５，１２ｂ−６，１２ｂ−７，１２ｂ−８，１２ｂ−９，１２ｂ−１０  乗算器
１２ｃ−１，１２ｃ−２，１２ｃ−３，１２ｃ−４，１２ｃ−５，１２ｃ−６，１２ｃ−７，１２ｃ−８，１２ｃ−９  加算器
１３  入力端子
１４  出力端子
Ｒ１，Ｒ２  処理経路
Ａ１  入力データの振幅特性
Ａ２  入力データの逆特性
Ａ３  入力データの逆特性の伝達関数の逆特性
Ａ４  ＩＳＩ振幅特性
Ａ５  エンファシス振幅特性
Ａ６  合成振幅特性
Ａ７  ＩＳＩのタップ係数とエンファシスのタップ係数とを足し合わせた振幅特性
【図１】
2019004421.tif 000003
【図２】
2019004421.tif 000004
【図３】
2019004421.tif 000005
【図４】
2019004421.tif 000006
【図５】
2019004421.tif 000007
【図６】
2019004421.tif 000008
【図７】
2019004421.tif 000009
【図８】
2019004421.tif 000010